(57)【要約】    【課題】  花火大会などの観覧用として河川敷などの野外に設置できる起伏式観覧席の提供。    【解決手段】  野外の制約（緊急時における設置面５からの高さ制限など）で問題となる起伏動作用の駆動部を、即ち、複数の座席６を取付けた座席支持枠２の起伏（揺動）動作用の駆動シリンダー４を、設置面５に設けずに、座席支持枠２にその長手方向へ沿って設ける。そして、駆動シリンダー４を座席支持枠２に沿って設けたことにより、座席支持枠２を設置面５に沿う伏せた状態とした時に、設置面５からの高さをほぼ各座席６および座席支持枠２のみの高さにできるようにする。【選択図】      図１
2005068913.tif 000002
【特許請求の範囲】
【請求項１】
設置面に一端を軸着して揺動自在に設けている座席支持枠と、この座席支持枠の他端側において、一端を前記座席支持枠に他端を前記設置面にそれぞれ軸着していると共に、一端の前記座席支持枠への軸着部を前記座席支持枠の長手方向へ摺動自在としている揺動支持部材と、この揺動支持部材における一端の軸着部に伸縮ロッドの先端を取付けて前記座席支持枠にその長手方向へ沿って設けている駆動シリンダーとを備えてなり、
前記伸縮ロッドの伸長時に前記揺動支持部材に支持されて、前記座席支持枠が、前記設置面より上方へ揺動して設置面から起きると共に、前記伸縮ロッドの縮小時に前記揺動支持部材に支持されて、前記座席支持枠が、前記設置面方向へ揺動して設置面に沿って伏せることを特徴とする起伏式観覧席。
【請求項２】
前記揺動支持部材の前記座席支持枠への軸着部は、座席支持枠にその長手方向へ延びて設けている摺動ガイドにガイドされて移動する摺動用ローラーの軸部であることを特徴とする請求項１記載の起伏式観覧席。
【請求項３】
前記揺動支持部材の一端の軸着部は、その前記座席支持枠の長手方向への摺動を、座席支持枠と揺動支持部材とに係止する固定ピンによって阻止できることを特徴とする請求項１または請求項２記載の起伏式観覧席。
【発明の詳細な説明】
【技術分野】
【０００１】
この発明は、観覧時の設置面から起した状態と設置面に沿う伏せた状態とに変更できる起伏式の観覧席であり、特に、河川敷（河原や堤防）などの野外に設置する起伏式観覧席に関するものである。
【背景技術】
【０００２】
起伏式観覧席としては、例えば、設置面（基礎部分や基台フレームなど）に設けた駆動部によって、座席部分（座席支持用の支持フレームなど）を起伏させるものが知られている。また、この起伏機構や座席部分のリンク機構を利用して種々の形態に変形できることから、起伏式観覧席は、ホールやアリーナなどの多目的施設内に用いるものとして知られている。
【０００３】
一方、河川敷（河原や堤防）などの野外に設置する観覧席としては、枠組み仮設足場の延長上にある組立て式の仮設観覧席が知られている。
【０００４】
ところが、特に河川敷では、河川法により、増水による洪水が予想されるなどの緊急時に、定められた時間内で観覧席の高さを地表より１メートル以下にする必要がある。この「定められた時間内で観覧席の高さを１メートル以下にする」ことは、解体作業や搬出作業およびその作業員確保などの点から、組立て式の仮設観覧席では不可能なことである。
【０００５】
これらのことから、短い時間で機械的に起伏できる起伏式観覧席を河川敷に設置することが考えられる。しかし、この起伏式観覧席は、前述したようにホールやアリーナの室内に用いるものとして製作されており、河川敷などの野外に設置することを想定していないことから種々の問題点がある。
【０００６】
例えば、観覧席の設置面に設けられる駆動部や、観覧席の変形時に座席の座面を常に水平に保つリンク機構などによって、観覧席の高さを地表より１メートル以下にすることが困難である。また、設置面にピットを形成すればそこに駆動部を収納することで観覧席の高さを抑えることはできるが、河川敷にピットを形成することは規制などから事実上不可能である。
【特許文献１】特開平９−１９５５５２号公報
【特許文献２】特開平１０−３０３５０号公報
【発明の開示】
【発明が解決しようとする課題】
【０００７】
「定められた時間内で観覧席の高さを１メートル以下にする」という条件を満たすことに最適な、短い時間で機械的に起伏できる起伏式観覧席は、一般的に多目的施設（ホールやアリーナなど）の室内に設置するものとして製作されており、野外での制約への対応が困難であることから、花火大会などの観覧用として河川敷などの野外に設置することができない点である。
【課題を解決するための手段】
【０００８】
この発明は、「高さを１メートル以下にする」などの野外の制約で問題となる起伏動作用の駆動部を、即ち、複数の座席を取付けた座席支持枠の起伏（揺動）動作用の駆動シリンダーを、設置面に設けずに、座席支持枠にその長手方向へ沿って設けていることを最も主要な特徴とする。
【発明の効果】
【０００９】
この発明の起伏式観覧席は、駆動シリンダーを座席支持枠にその長手方向へ沿って設けたことにより、座席支持枠を設置面に沿う伏せた状態とした時にほぼ各座席と座席支持枠とのみの高さにできるので、「定められた時間内で観覧席の高さを１メートル以下にする」という条件を確実に満たすことができる。
【００１０】
また、この発明の起伏式観覧席は、設置面に一端を軸着して揺動自在な座席支持枠と設置面および座席支持枠に軸着した揺動支持部材とからなる簡単な構造であると共に、駆動シリンダーを座席支持枠にその長手方向へ沿って設けていることから、座席支持枠を伏せた状態とした時に観覧席全体が設置面に沿う平面的な状態にでき、野外である河川敷に設置した場合の増水時に水没しても水流の影響を受けにくくすることができる。
【発明を実施するための最良の形態】
【００１１】
起伏式観覧席を花火大会などの観覧用として河川敷などの野外に設置できるようにするという目的を、「複数の座席が取付けられている座席支持枠に、その長手方向へ沿って、座席支持枠の起伏（揺動）用の駆動シリンダーを設け、観覧席が最小の部品点数で構成できるようにすると共に、観覧席を伏せた状態とした時にほぼ座席支持枠のみが設置面に横たわるようにする」ことにより、設置面に伏せた状態とした観覧席の高さを最小限にして実現した。
【実施例１】
【００１２】
図１は、この発明の起伏式観覧席の一実施例を示す概略図であり、観覧時用の起立状態を示している。また、図２は観覧席を伏せた状態を示す概略図で、図３は図２のＡ−Ａ線矢視図である。そして、符号１はこの発明の起伏式観覧席で、２は座席６が取付けられている座席支持枠で、３は座席支持枠２の起伏（揺動）を支持している揺動支持部材で、４は起伏（揺動）用の駆動シリンダーで、５は起伏式観覧席１の設置面である。
【００１３】
起伏式観覧席１（請求項１の発明）は、設置面５に一端を軸着して揺動自在に設けている座席支持枠２と、この座席支持枠２の他端側において、一端を座席支持枠２に他端を設置面５にそれぞれ軸着していると共に、一端の座席支持枠２への軸着部３ａを座席支持枠２の長手方向へ摺動自在としている揺動支持部材３と、この揺動支持部材３における一端の軸着部３ａに伸縮ロッド４ａの先端を取付けて座席支持枠２にその長手方向へ沿って設けている駆動シリンダー４とを備えている。
【００１４】
そして、この起伏式観覧席１は、伸縮ロッド４ａの伸長時に揺動支持部材３に支持されて、座席支持枠２が、設置面５より上方へ揺動して設置面５から起きる状態になると共に、伸縮ロッド４ａの縮小時に揺動支持部材３に支持されて、座席支持枠２が、設置面５方向へ揺動して設置面５に沿って伏せる状態になる。
【００１５】
この実施例での座席支持枠２は、図３に示すように、その長手方向へ延びて所定間隔で平行に配設している両主枠２ａと、この両主枠２ａの間隔を保持して一端側および他端側に設けている連結枠２ｂとからなっている。そして、この座席支持枠２にはその上面に複数の座席６（図１および図２参照）を取付けていると共に、この座席支持枠２の一端側における両主枠２ａには後述する固定ピン９用の挿入孔１０（図２参照）を形成している。
【００１６】
この実施例での揺動支持部材３は、座席支持枠２の両主枠２ａの間において、各主枠２ａの近傍位置にそれぞれ一個で二個設けている。そして、この両揺動支持部材３の間には補強用の筋交い３ｂ（図３参照）を設けていると共に、各揺動支持部材３の一端には後述する固定ピン９用の挿入孔１１を形成している。
【００１７】
また、この揺動支持部材３の一端における座席支持枠２への軸着部３ａは、座席支持枠２にその長手方向へ延びて設けている摺動ガイド７にガイドされて移動する摺動用ローラー８の軸部８ａである（請求項２の発明）。なお、この実施例での摺動ガイド７は座席支持枠２の両主枠２ａにそれぞれ長手方向へ延びて設けていると共に、摺動用ローラー８は両主枠２ａのそれぞれの摺動ガイド７を移動すべく二個設けておりその両摺動用ローラー８を軸部８ａが連結している。
【００１８】
この実施例での揺動支持部材３一端の軸着部３ａは、その座席支持枠２の長手方向への摺動を、座席支持枠２と揺動支持部材３とに係止する固定ピン９によって阻止できる（請求項３の発明）。即ち、座席支持枠２の挿入孔１０と揺動支持部材３の挿入孔１１とに挿入係止する固定ピン９によって、軸着部３ａの座席支持枠２長手方向への摺動を阻止できる。
【００１９】
この実施例での駆動シリンダー４は、その本体４ｂを座席支持枠２一端側の連結枠２ｂに軸着していると共に、その伸縮ロッド４ａの先端を摺動用ローラー８の軸部８ａ（揺動支持部材３における一端の軸着部３ａ）に軸着している。そして、この駆動シリンダー４は、座席支持枠２の両主枠２ａの間において、各主枠２ａの近傍位置にそれぞれ一個、即ち、二個設けられている。また、この駆動シリンダー４としては、スクリュージャッキや油圧シリンダーなどが考えられる。
【００２０】
なお、この実施例では、図４に示すように、一個の座席支持枠２を観覧席の１ブロックとして用いることにする。そして、一個の座席支持枠２（観覧席の１ブロック）の規模としては、駆動シリンダー４の能力や制御方法からおのずとその規模は決定される。実際の使用にあたっては、数個の座席支持枠２（数個の観覧席ブロック）を並列して使用することになる。
【００２１】
この実施例での座席６は、座席支持枠２の上面に取付けている段床部６ａと、この段床部６ａの上面に設けている座席板６ｂとからなっている。そして、この座席６は、図１に示すように、観覧席１の起立時（座席支持枠２の所定角度での固定時）において座席板６ｂが水平となるように固着しており、リンク機構などの可変機構は備えていない。
【００２２】
このような構成からなる起伏式観覧席１の起伏は、例えば、図１に示す座席支持枠２が起立した観覧時用の状態から、図２に示す座席支持枠２が設置面５に沿って伏せる状態にすることで行われる。
【００２３】
即ち、起伏式観覧席１の起伏は、「図１に示すように、駆動シリンダー４の伸縮ロッド４ａが伸長して、揺動支持部材３の一端の軸着部３ａが、座席支持枠２の他端側の部分に固定ピン９で固定されている状態」から、「図２に示すように、伸縮ロッド４ａの縮小時に、揺動支持部材３の一端の軸着部３ａである摺動用ローラー８が、摺動ガイド７にガイドされて座席支持枠２の一端側へ移動することにより、座席支持枠２の一端側の方向で設置面５の方向へ揺動する揺動支持部材３に支持されて、座席支持枠２が設置面５側へ揺動した状態」にすることで行われる。
【００２４】
なお、この起伏は、動力や電力の関係により、数個の座席支持枠２（数個の観覧席ブロック）を同時に起伏することは得策でなく、各座席支持枠２毎（各ブロック毎）の単独駆動となる。
【００２５】
そのため、図４に示すように、各座席支持枠２間（各ブロック間）には予め適当な隙間１２を与えておき、起伏作動時において隣接した各座席支持枠２（各ブロック）との干渉を回避する。この隙間１２は、起立後のおいて、その隙間１２の幅に応じた床材や座席板（図示せず）で埋めることとなる。
【００２６】
また、この起伏時において、例えば、駆動シリンダー４として油圧シリンダーを採用した場合には、固定ピン９を抜いて外した後、油圧シリンダーに接続されたバルブを操作して作動油を排出することにより、動力を使用することなく、座席６および座席支持枠２の自重で観覧席を起立状態から伏せ状態にすることが可能である。
【００２７】
このようなこの発明の起伏式観覧席１によれば、駆動シリンダー４を座席支持枠２にその長手方向へ沿って設けたことにより、座席支持枠２を設置面５に沿う伏せた状態とした時に、図２に示すように、ほぼ各座席６と座席支持枠２とのみの高さにできるので、「定められた時間内で観覧席の高さを１メートル以下にする」という条件を確実に満たすことができる。
【００２８】
また、この起伏式観覧席１は、設置面５に一端を軸着して揺動自在な座席支持枠２と設置面５および座席支持枠２に軸着した揺動支持部材３とからなる簡単な構造であると共に、駆動シリンダー４を座席支持枠２にその長手方向へ沿って設けていることから、野外である河川敷に設置した場合の増水時に水没しても水流の影響を受けにくくすることができる。
【００２９】
さらに、この起伏式観覧席１では、野外に設置することから観覧形態を変更する必要がないので座席６を固着しており、リンク機構などの可変機構を備えていない。このことからも、座席支持枠２を設置面５に沿う伏せた状態とした時にほぼ各座席６と座席支持枠２とのみの高さにできる。
【００３０】
これらのことから、この発明によれば、多目的施設（ホールやアリーナなど）の室内に用いるものとして知られている起伏式構造の観覧席を、例えば、「定められた時間内で観覧席の高さを１メートル以下にする」という条件がある河川敷などの野外で使用できるようになる。
【実施例２】
【００３１】
図５および図６はこの発明の起伏式観覧席１の別使用形態を示すものであり、図５は起立した観覧状態で、図６は設置面５に伏せた状態である。そして、この実施例では、各座席支持枠２の頂点を連結ピンで連結し、観覧席１全体を一体の山形形状にしている。
【００３２】
このようにこの発明の起伏式観覧席１は、使用形態として観覧席を背合わせに設置することが可能である。ただし、この背合わせに設置する場合は、各座席支持枠２の一端と設置面５に設けた支持板１３との接点部分を長穴構造とし、観覧席１の起伏に伴う支点間隔の変化を長穴１４で対処するようにする。
【産業上の利用可能性】
【００３３】
この発明の起伏式観覧席は、河川敷における花火大会や河川敷に設けた野球場およびテニスコートなどの観覧席として、野外で使用することを想定しているが、起立した観覧状態と設置面に伏せた状態との二通りの変化でよいのであれば、多目的施設（ホールやアリーナなど）の室内に適用することは可能である。
【図面の簡単な説明】
【００３４】
【図１】この発明の起伏式観覧席を示す概略図である。
【図２】この発明の起伏式観覧席の伏せた状態を示す概略図である。
【図３】図２のＡ−Ａ線断面図である。
【図４】この発明の起伏式観覧席の実際の使用状態を示す概略図である。
【図５】この発明の起伏式観覧席の別使用形態を示す概略図である。
【図６】図５の起伏式観覧席の伏せた状態を示す概略図である。
【符号の説明】
【００３５】
１    起伏式観覧席
２    座席支持枠
２ａ  両主枠
２ｂ  連結枠
３    揺動支持部材
３ａ  軸着部
３ｂ  筋交い
４    駆動シリンダー
４ａ  伸縮ロッド
４ｂ  本体
５    設置面
６    座席
６ａ  段床部
６ｂ  座席板
７    摺動ガイド
８    摺動用ローラー
８ａ  軸部
９    固定ピン
１０  挿入孔
１１  挿入孔
１２  隙間
１３  支持板
１４  長穴
【図１】
2005068913.tif 000003
【図２】
2005068913.tif 000004
【図３】
2005068913.tif 000005
【図４】
2005068913.tif 000006
【図５】
2005068913.tif 000007
【図６】
2005068913.tif 000008